(57)【特許請求の範囲】
【請求項１】
曲線状のコーナーサイドで互いに繋がった曲線状のロングサイドを有し、光に曝されたときにラウンドカットダイヤモンドにおいて真のハートアンドアローパターンで特徴付けられるハートアンドアローパターンを有する、曲線形状を持つクッションカットダイヤモンドであって、
クラウンサイドと、パビリオンサイドと、テーブルファセットと、を備え、
前記クラウンサイドは、
前記ダイヤモンドの周りに対称に配置された合計８個のメインクラウンファセットと、
前記テーブルファセットに隣接する８個のクラウンスターファセットと、
１６個のクラウンハーフファセットと、を備え、
前記ダイヤモンドの前記パビリオンサイドは、
８個のメインパビリオンファセットと、
前記ダイヤモンドの中央部に位置する点で互いに接合する１６個のパビリオンハーフファセットと、
前記パビリオンサイドに対称に配置され、各々の副パビリオンファセットが２つの前記パビリオンハーフファセットに隣接して配置された４個の副パビリオンファセットと、
前記ダイヤモンドの周囲を対称に囲む１６個の副パビリオンハーフファセットと、
前記クラウンサイドを、前記ダイヤモンドの前記パビリオンサイドから分離する複数個のガードルファセットと、を備え、
前記ダイヤモンドの宝石原石によって生じる前記ハートアンドアローパターンは、光の存在下においてありふれたスコープで視覚的に観察したとき、整列された同数のアローとハートが形成されることを特徴とするクッションカットダイヤモンド。
【請求項２】
前記ダイヤモンドの前記クラウンサイドは、４つの曲線状のロングサイドと４つのコーナーショートサイドを有し、前記ロングサイドは、各組が平行なサイドを有する組となるように配置されていることを特徴とする請求項１記載のクッションカットダイヤモンド。
【請求項３】
前記ダイヤモンドの前記クラウンサイドは、さらに、前記ダイヤモンドの前記４つのロングサイドに配置された４個のメインクラウンファセットと、前記コーナーショートサイドに配置された４個のメインクラウンファセットとを備え、それぞれのコーナーサイドの丸みは等しいことを特徴とする請求項２記載のクッションカットダイヤモンド。
【請求項４】
前記ガードルファセットが、厚さにおいて２．５％〜７．５％の範囲で変わることを特徴とする請求項１〜３のいずれか１項に記載のクッションカットダイヤモンド。
【請求項５】
前記ダイヤモンドの前記４つのロングサイドにおいて４０個のガードルファセットが存在し、前記４つのコーナーサイドにおいて２８個のガードルファセットが存在することを特徴とする請求項４記載のクッションカットダイヤモンド。
【請求項６】
前記メインパビリオンファセットが、共通の点に集合していることを特徴とする請求項３記載のクッションカットダイヤモンド。
【請求項７】
前記メインクラウンファセット、前記パビリオンファセット、及びコーナーのファセットが、以下の角度を有することを特徴とする請求項６記載のクッションカットダイヤモンド。
メインパビリオンの角度範囲：４０．６°〜４１．１°、
メインクラウンの角度範囲：３４．２°〜３５．１°、及び
コーナーのメインクラウンの角度範囲：３３．７°〜３４．８°
【請求項８】
前記副パビリオンファセット及び前記パビリオンハーフファセットが、
副パビリオンの角度範囲：６３°〜６７．５°、
パビリオンハーフの角度範囲：６４．５°〜７０．５°
のカット角度を有することを特徴とする請求項７記載のクッションカットダイヤモンド。
【請求項９】
曲線状のコーナーサイドで互いに繋がった曲線状のロングサイドを持つ曲線形状を有し、光に曝されたときにラウンドカットダイヤモンドにおいて真のハートアンドアローパターンで特徴付けられるハートアンドアローパターンを示すクッションカットを形成するダイヤモンドの研磨方法であって、
前記ダイヤモンドの周りに対称に配置された合計８個のメインクラウンファセットと、前記テーブルファセットに隣接する８個のクラウンスターファセットと、１６個のクラウンハーフファセットと、を前記クラウンサイドに形成するように特徴付けられる方法で、クラウンサイドと、パビリオンサイドと、テーブルファセットと、を備えるように前記ダイヤモンドを研磨する工程と、
前記ダイヤモンドのパビリオンサイドに、８個のメインパビリオンファセットと、前記ダイヤモンドの中心部に位置する点に互いに結合する１６個のパビリオンハーフファセットと、各副パビリオンファセットが２つの前記パビリオンハーフファセットに隣接して配置され、前記パビリオンサイド上で対称に配置された４個の副パビリオンファセットと、前記ダイヤモンドの周囲の長さを対称に囲む１６個の副パビリオンハーフファセットと、を形成する工程と、
前記ダイヤモンドの宝石原石によって生じる前記ハートアンドアローパターンが、光の存在下においてありふれたスコープで視覚的に観察したとき、対称に整列された同数のアローとハートを形成するように、複数個のガードルファセットを形成する工程と、
を備えることを特徴とするダイヤモンドの研磨方法。
【請求項１０】
前記クッションカットの全体の深さが、６７．５％〜７５％であり、％表示の全体の深さ＝高さ／幅×１００であることを特徴とする請求項９記載のダイヤモンドの研磨方法。
【請求項１１】
前記クラウンサイドは、さらに、４つの曲線状のロングサイドと、４つのコーナーショートサイドを有し、４個のメインクラウンファセットが前記４つのロングサイドに形成され、４個のメインクラウンファセットが前記コーナーショートサイドに形成され、
前記ロングサイドの１つにおける各前記メインクラウンファセットが、１０個のガードルファセットを有し、その結果、前記ロングサイドにおいて合計４０個のガードルファセットを有し、各前記コーナーサイドに７個のガードルファセットを有し、その結果、前記コーナーサイドにおいて合計２８個のガードルファセットを有することを特徴とする請求項１０記載のダイヤモンドの研磨方法。
【発明の詳細な説明】
【技術分野】
【０００１】
本発明は、光の存在下で、完全に対称なラウンドシェイプの宝石原石において生じるハートアンドアローパターンに匹敵するハートアンドアローパターンを生じる、新規なクッションシェイプされたダイヤモンドに関するものである。
【背景技術】
【０００２】
同等の丸みの曲線状の４つのコーナーサイドで互いに繋がり、ダイヤモンドのロングサイドを示す４つの曲線状のサイドを持つラウンド状のジオメトリと、光に曝されたときに、完全に対称なラウンドシェイプの宝石におけるハートアンドアローパターンに匹敵するハートアンドアローパターンを生じる多数の副パビリオンハーフファセットの処理が宝石原石にされて、実質的に四角形にシェイプされたテーブルファセットを有する宝石原石は、今のところ知られていない。
【０００３】
本発明のクッションシェイプされたダイヤモンドは、同等の丸みの曲線状の４つのコーナーサイドで互いに繋がり、平行なサイドを有する２つの組で構成される４つのロングサイドによって、実質的に同等の長さの４つの曲線状のロングサイドを持ち、ダイヤモンドに様々な厚さにカットされたガードルを有するラウンド状のジオメトリを有している。
さらに、クッションシェイプされた前記ダイヤモンドは、２つが互いに平行に隣接する組となる４つのメインクラウンファセットと、コーナーサイドにおける４つのメインクラウンファセットと、ダイヤモンドの４つのサイドを囲む１６個のクラウンハーフファセットを有している。さらに、各メインクラウンファセットは望ましくは１０個のガードルファセットを有し、各コーナーサイドは望ましくは７つのガードルファセットを有する。
【発明の概要】
【課題を解決するための手段】
【０００４】
本発明のクッションシェイプダイヤモンドは、以下のファセットを有している。
・ダイヤモンドの４つのロングサイドにおいて、実質的に同等のジオメトリ及び寸法の４個のメインクラウンファセット
・ダイヤモンドのコーナーサイドにおいて、実質的に同等のジオメトリ及び寸法の４個のメインクラウンファセット
・テーブルファセットの四角形状側に隣接した、メインクラウン側の８個のクラウンスターファセット
・１６個のクラウンハーフファセット
・１つの四角形状のテーブルファセット
・ダイヤモンドの４つのロングサイドにおける４０個のガードルファセット
・コーナーサイドにおける２８個のガードルファセット
・８個のメインパビリオンファセット
・１６個のパビリオンハーフファセット
・ダイヤモンドの４つのロングサイドにおける４個の副パビリオンファセット
・１６個の副パビリオンハーフファセット
ガードルファセットを含む全ファセット＝１４５
ガードルファセットを除く全ファセット＝７７
【０００５】
デザインの比率は、以下のとおりである。
・全体の深さ：６７．５％〜７５％
・クラウン高さ：１４％〜１６．８％
・パビリオン深さ：５１．０％〜５３．７％
・テーブルサイズ：５３．０％〜５８．５％
・ガードル厚：２．５％〜７．５％
・長さ／幅の比：１．０〜１．００７
・メインクラウン角の角度範囲：３４．２〜３５．１
・コーナーメインクラウン角の角度範囲：３３．７〜３４．８
・メインパビリオン角の角度範囲：４０．６〜４１．１
・副パビリオン角の角度範囲：６３〜６７．５
・パビリオンハーフ角の角度範囲：６４．５〜７０．５
【０００６】
本発明のクッションシェイプされたダイヤモンドのファセット形成パターンは、上記ファセットの配置及び比率が満足されると、明瞭で完全に対称なハートアンドアローパターンを生じる。
【図面の簡単な説明】
【０００７】
【図１】図１は、本件の新規なデザインを示す宝石原石の平面図である。
【図２】図２は、その側面図である。
【図３】同じく、その底面図である。
【発明を実施するための形態】
【０００８】
図面に示すように、本発明のクッションシェイプされたダイヤモンド宝石原石５は、４つの曲線状のロングサイド１０、１２、１４、１６と、それら４つの曲線状のロングサイドを互いに繋げる同等の丸みの４つのコーナーサイド１８、２０、２２、２４とを有している。それぞれ４つのロングサイド１０、１２、１４、１６は、僅かに湾曲しているが、それ以外では実質的に直線状であり、互いに同等の長さを有し、これらロングサイドと同等の丸みの４つのコーナーサイド１８、２０、２２、２４との組み合わせにより、ダイヤモンドはラウンドシェイプのジオメトリを形成している。２つのロングサイド１０、１４は平行に並ぶ１つの組を形成し、２つのロングサイド１２、１６は平行に並ぶ１つの組を形成している。４つのコーナーサイド１８、２０、２２、２４は、同等の寸法を有し、４つのロングサイド１０、１２、１４、１６と比較した長さよりもかなり短い長さを有している。４つのロングサイド１０、１２、１４、１６及び４つのコーナーサイド１８、２０、２２、２４は、図２に示すように、様々な厚さのファセットされたガードルＧを有している。
【０００９】
さらに加えて、宝石原石５は、ダイヤモンドの前記コーナーサイドにおける４個のメインクラウンファセットＭＣＦ５、ＭＣＦ６、ＭＣＦ７、ＭＣＦ８に隣接して位置するテーブルファッセトＴＦの４つの傾斜したコーナーを有するその４つのコーナーのそれぞれの傾斜端部を有している一つの４角形状にシェイプされたテーブルファッセトＴＦを備えている。
他の４つのメインクラウンファセットＭＣＦ１、ＭＣＦ２、ＭＣＦ３、ＭＣＦ４は、４つの前記ロングサイドに位置し、４つのメインクラウンファセットＭＣＦ５、ＭＣＦ６、ＭＣＦ７、ＭＣＦ８は、前記コーナーサイドに位置している。前記ロングサイドにおける４つのメインクラウンファセットＭＣＦ１、ＭＣＦ２、ＭＣＦ３、ＭＣＦ４は、前記コーナーサイドにおける４つのメインクラウンファセットＭＣＦ５、ＭＣＦ６、ＭＣＦ７、ＭＣＦ８とは、ジオメトリ及びシェイプにおいて異なっており、すなわち、前記ロングサイドにおけるメインクラウンファセットＭＣＦ１、ＭＣＦ２、ＭＣＦ３、ＭＣＦ４の長手方向における対向端部同士の距離は、前記コーナーサイドにおけるメインクラウンファセットＭＣＦ５、ＭＣＦ６、ＭＣＦ７、ＭＣＦ８の長手方向における対向端部同士の距離よりも十分に大きくなっている。さらに、メインクラウンファセットＭＣＦ１、ＭＣＦ２、ＭＣＦ３、ＭＣＦ４が４つのサイドのみを有するのに対して、前記コーナーサイドにおけるメインクラウンファセットＭＣＦ５、ＭＣＦ６、ＭＣＦ７、ＭＣＦ８は５つのサイドを有している。したがって、前記ロングサイドにおける４つのメインクラウンファセットＭＣＦ１、ＭＣＦ２、ＭＣＦ３、ＭＣＦ４は、四角形状のジオメトリを有し、前記コーナーサイドにおける４つのメインクラウンファセットＭＣＦ５、ＭＣＦ６、ＭＣＦ７、ＭＣＦ８は、五角形状を有し、かつ前記ロングサイドにおける４つのメインクラウンファセットＭＣＦ１、ＭＣＦ２、ＭＣＦ３、ＭＣＦ４よりも面積において大幅に小さくなっている。
また、ダイヤモンドのメインクラウンファセット側を囲む１６個のクラウンハーフファセットβ１〜β１６と、テーブルファセットＴＦを囲む８個のスターファセットα１〜α８がある。
さらに、図３に示すように、宝石原石５は、前記ロングサイドにおいて４個の副パビリオンファセットＳＰＦ１、ＳＰＦ２、ＳＰＦ３、ＳＰＦ４を有し、ダイヤモンドを囲むように１６個の副パビリオンハーフファセットＳＨＦ１〜ＳＨＦ１６を有している。
さらに、宝石原石５は、８個のメインパビリオンファセットＭＰＦ１〜ＭＰＦ８と、１６個のパビリオンハーフファセットＰＨＦ１〜ＰＨＦ１６とをそれぞれ有している。パビリオン側に配置された副ファセットは、Gemological Institute of America "GIA"、American Gemological Society "AGS"、De Beers "Forevermark" Laboratoryのような様々なダイヤモンドの鑑定機関によって宝石原石５が「アイディーアル（最高）」に等級付けされることが念頭に入れられる。
前記ロングサイドの１つにおける各メインクラウンファセットは、１０個のガードルファセットを有し、その結果、前記ロングサイドにおいて合計４０個のガードルファセットが存在し、その一方、各コーナーサイドで７個のガードルファセットを有する結果、前記コーナーサイドにおいて合計２８個のガードルファセットが存在している。
【００１０】
光の存在下において当業者により用いられる従来のスコープで視覚的に観察したとき、本発明のクッションシェイプされたダイヤモンドの宝石原石５によって生じるハートアンドアローパターンは、８つの完全に対称なアローと、８つの完全に対称なハートとを形成する。
【００１１】
隣接するファセット間、及びすべてのクラウンファセットとパビリオンファセットとの間のリレーションシップ及びアライメントは、ハートアンドアローパターンを生じさせるのに卓越している。全ての前記パビリオンハーフファセットと前記クラウンハーフファセットとは、互いに完全に位置合わせされていなければならず、前記パビリオンハーフファセットは、点Ｐにおいて互いに一緒になるべきである。また、研磨されたダイヤモンドが、様々なダイヤモンドの鑑定機関により「エクセレント（優秀）」に等級付けされるように前記デザインの対称性が要求される。デザインファセット形成パターンからのいかなる逸脱かつ／またはデザインにおける前述した比率において規定した角度範囲の何れかまたは全部からの逸脱は、ハートアンドアローパターンを生じない光の屈折パターン及びブリリアンスレベルを招く結果となるかもしれない。
【００１２】
本発明のクッションシェイプされた前記デザインは、完全にラウンドシェイプされた宝石原石のブリリアンスレベルと比較されるブリリアンスレベルをもたらし、ダイヤモンド産業界内で使用される様々なブリリアンススコープにおける最高の評価よりも高く、最も完全にラウンド状にカットされたダイヤモンドのブリリアンスの結果と比較できる又はそれ以上のブリリアンスの評価をもたらすことができる。
【図１】
0005744133.tif 000002
【図２】
0005744133.tif 000003
【図３】
0005744133.tif 000004